(57)【特許請求の範囲】
【請求項１】
筺体と、この筺体に設けられた表示部と、前記筺体に装着される血液センサと、この血液センサを介して皮膚を穿刺するレーザ発射装置と、前記血液センサと前記表示部と前記レーザ発射装置に接続された電気回路部とを備え、前記筺体上面中央の一方の側面側にカートリッジ装着部を設け、このカートリッジ装着部に前記血液センサが内蔵されたカートリッジが着脱自在に装着されるとともに、前記カートリッジ装着部の両側に前記レーザ発射装置からレーザ光を発射する穿刺ボタンが夫々設けられた血液検査装置。
【請求項２】
筺体の他方の側面側とカートリッジ装着部との間の上面側に表示部が設けられた請求項１に記載の血液検査装置。
【請求項３】
筺体の表面は半透明部材で形成されるとともに、表示部は発光ダイオードの光を前記半透明部材を通して表示する請求項１に記載の血液検査装置。
【請求項４】
血液の特性値が予め定められた値以上の場合は赤色で表示し、予め定められた値以下の場合は緑色で表示する請求項３に記載の血液検査装置。
【請求項５】
表示部は文字表示と併せて、前記文字表示の値が上昇傾向か減少傾向かを示す矢印が表示される請求項１に記載の血液検査装置。
【請求項６】
カートリッジの挿入により血液センサの電極と接続されるコネクタがせり出すせり出し機構を有する請求項１に記載の血液検査装置。
【請求項７】
カートリッジの挿入量よりコネクタがせり出す量を大きくした請求項６に記載の血液検査装置。
【請求項８】
カートリッジには、血液センサが複数枚装着される請求項１に記載の血液検査装置。
【請求項９】
血液センサへの皮膚の当接を検知する皮膚検知センサが設けられた請求項１に記載の血液検査装置。
【請求項１０】
レーザ光は、皮膚の表面からの深さが０．１〜１．５ｍｍの深さで焦点を結ぶ請求項１に記載の血液検査装置。
【請求項１１】
血液センサには、血液センサに備えられた複数の電極を区別するための基準電極が設けられた請求項１に記載の血液検査装置。
【請求項１２】
電気回路部に接続された負圧手段を設け、この負圧手段によりカートリッジ内を負圧にする請求項１に記載の血液検査装置。
【請求項１３】
血液センサに設けられた孔を介して皮膚に負圧を加える請求項１２に記載の血液検査装置。
【請求項１４】
筺体の外形は、直方体形状とした請求項１に記載の血液検査装置。
【請求項１５】
筺体の外形は、マウス形状とした請求項１に記載の血液検査装置。
【請求項１６】
パーソナルコンピュータとＵＳＢ線路で接続するとともに、電気回路部内のデータを前記パーソナルコンピュータに伝送する請求項１に記載の血液検査装置。
【請求項１７】
パーソナルコンピュータからＵＳＢ線路で電源の供給を受ける請求項１６に記載の血液検査装置。
【請求項１８】
筺体の下面に電気回路部に接続された位置情報検出部を設けるとともに、センサ装着部にスクロールユニットを装着し、パーソナルコンピュータと有線或いは無線で接続することにより、前記パーソナルコンピュータへ位置情報を入力する請求項１に記載の血液検査装置。
【発明の詳細な説明】
【技術分野】
【０００１】
本発明は、血液等の検査に用いられる血液検査装置に関するものである。
【背景技術】
【０００２】
糖尿病患者は、定期的に血糖値を測定し、その血糖値に基づいてインスリンを投与し、血糖値を正常に保つ必要がある。この血糖値を正常に保つため、血糖値を定期的に測定する必要があり、そのために患者は血液検査装置を用いて指先等から、少量の血液を採取し、この採取した血液から血糖値を測定しなければならない。
【０００３】
以下、従来の血液検査装置について説明する。従来の血液検査装置１は、図１８に示すように、筺体２と、この筺体２の一方が開口した筒体３と、この筒体３内を往復するプランジャ４と、このプランジャ４に一方が連結されたハンドル５と、このハンドル５が筺体２に係止される係止部６と、このハンドル５を筒体３の開口部３ａ側へ付勢するバネ７と、プランジャ４に一方の端が把持されるとともに他方の端には採血針（以下、針という）８が装着されるランセット９と、開口部３ａ側に装着された血液センサ（以下、センサという）１０と、このセンサ１０に形成された電極が接続される電気回路部１１とで構成されていた。
【０００４】
以上のように構成された血液検査装置１を用いて血液検査をするにあたり、先ず、以下に述べる準備作業が必要となる。即ち、以前に検査した血液の影響を除去するため、センサ１０と針８とを交換する必要がある。この検査の度に針８の交換の煩わしさを軽減するため、レーザ発射装置を用いた穿刺も提案されている。
【０００５】
このような準備をした後、図１９に示すように一方の手１２ａで血液検査装置１を握り、他方の手１２ｂの皮膚１３に当接させる。そして、係止部６の係止を解除する。すると、バネ７によって付勢されたハンドル５が矢印１６（図１８参照）方向に勢い良く発射される。このハンドル５の係止解除により針８も同時に発射される。この針８は、センサ１０の貯留部天面を突き破り、患者１２の皮膚１３を穿刺する。
【０００６】
穿刺された皮膚１３からは血液（図示せず）１４が少量流出する。この血液１４はセンサ１０の貯留部内に取り込まれる。貯留部内に取り込まれた血液１４は、センサ１０の検出部内で血糖値に応じた化学変化を起こす。この化学変化により生じた電流は電気回路部１１に取り込まれ、血糖値が計算される。そして、この血糖値の結果は表示部１５に表示される。このようにして求められた血糖値は、患者１２に投与するインスリン量の基礎データとなる。
【０００７】
なお、この出願の発明に関連する先行技術文献情報としては、例えば、特許文献１、特許文献２が知られている。
【特許文献１】特表２００３−５２４４９６号公報
【特許文献２】特表平１０−５０１９９２号公報
【発明の開示】
【発明が解決しようとする課題】
【０００８】
しかしながらこのような従来の血液検査装置１を用いた血糖値の測定においては、一方の手１２ａで血液検査装置１を把持し、他方の手１２ｂの皮膚１３にセンサ１０を当接させる必要がある。そのため、どうしても両手１２ａ、１２ｂを使う必要があった。従って、例えばオフィス等において、このような両手１２ａ、１２ｂを使って検査する血液検査装置１を用いて、勤務時間中に血糖値を測定する場合には、例え上司の許可は得ていたとしても同僚の視線を感じ、恥ずかしい思いをする患者１２もいた。特に初期の糖尿病患者１２においてはなおさらであると想像される。
【０００９】
本発明は、このような問題を解決したもので、オフィス等においても違和感を感ずることなく片手で操作できる血液検査装置を提供することを目的としたものである。
【課題を解決するための手段】
【００１０】
この目的を達成するために本発明の血液検査装置の筺体は、前記筺体上面中央の一方の側面側にカートリッジ装着部を設け、このカートリッジ装着部に血液センサが内蔵されたカートリッジが着脱自在に装着されるとともに、前記カートリッジ装着部の両側にレーザ発射装置からレーザ光を発射する穿刺ボタンが夫々設けられたものである。これにより、所期の目的を達成することができる。
【発明の効果】
【００１１】
以上のように本発明による血液検査装置の筺体は、前記筺体上面中央の一方の側面側にカートリッジ装着部を設け、このカートリッジ装着部に血液センサが内蔵されたカートリッジが着脱自在に装着されるとともに、前記カートリッジ装着部の両側にレーザ発射装置からレーザ光を発射する穿刺ボタンが夫々設けられたものであり、カートリッジの両側に穿刺ボタンが夫々設けられているので、あたかもオフィスでコンピュータに接続されたマウスをクリックしているようであり、例えオフィス等で使用したとしても、血液の測定に対する違和感がない。
【００１２】
また、血液センサが内蔵されたカートリッジは着脱自在であるので、血液センサの交換は容易に行うことができる。更に、カートリッジ毎の廃棄が可能であるので、血液が本体側に付着することはなく衛生的である。
【発明を実施するための最良の形態】
【００１３】
以下、図面に基づいて、本発明の血液検査装置を説明する。
【００１４】
（実施の形態１）
図１は、実施の形態１における血液検査装置２１の外観斜視図である。この血液検査装置２１の筺体２２は、縦、横、高さ寸法が共に異なる直方体形状をしており、略手のひらに収まる大きさである。また、筺体２２は半透明の白色部材で形成されている。この筺体２２の上面２２ａであって、一方の側面２２ｅ側の中央にはカートリッジ装着部３４（図３参照）が設けられており、このカートリッジ装着部３４には、カートリッジ２４が着脱自在に装着されている。このカートリッジ２４の上面には血液センサ（以後、センサという）３３が装着されている。
【００１５】
また、このカートリッジ装着部３４に隣接する両側には、穿刺ボタン２５ａ、２５ｂが設けられている。筺体２２の他方の側面２２ｄとカートリッジ装着部３４との間には表示部２３が設けられている。この表示部２３は発光ダイオードで形成されており、この発光ダイオードが点灯することにより、半透明の筺体２２から浮き上がった文字として認識することができるものである。消灯時には筺体２２の上面２２ａからは表示部２３を認識することはできず、デザイン性に富んだ形状となる。
【００１６】
また、表示には、カラー発光ダイオードを用いており、このカラー表示を活用して、血液の特性値の測定結果が予め定められた値を超えた場合は赤色で表示し、血液の測定結果が予め定められた値以内の場合は緑色で表示することも可能となる。従って、赤色表示のときは注意が必要であり、緑色表示のときは安心して良いことになる。
【００１７】
更に、この表示部２３には、文字表示に併せて矢印２３ａでも表示できるようにしている。この矢印２３ａを用いて、前回の血糖値との比較、或いは平均値との比較、或いは長期の血糖値の動向等を示すものである。例えば、矢印２３ａが上向き（一方の側面２２ｅ方向）であれば血糖値が上昇傾向にあることを示す。なお、この表示部２３は、発光ダイオードに限ることはなく、液晶で構成しても良い。液晶で構成すれば、省電力化を図ることができる。この場合は、表示部２３に対応する上面２２ａは透明にしておくか、開放しておかなければならない。
【００１８】
２２ｇは、一方の側面２２ｅ側に回動自在に装着されたカバーであり、センサ３３と穿刺ボタン２５ａ、２５ｂを保護するものである。なお、本実施の形態において、筺体２２の表面色は白色としているが、白色に限ることはなく、他人の血液検査装置２１との識別や、患者１２の好みに合わせて、緑色、青色、黄色、紫色、茶色、黒等を用いることもできる。
【００１９】
なお、筺体２２の形状は、本実施の形態では直方体形状としたが、これは直方体形状に限ることはなく、てんとう虫型、ねずみ型等、患者の好みのものとすることもできる。
【００２０】
以上のように構成されているので、以下の効果を奏するものである。即ち、カートリッジ２４の両側に穿刺ボタン２５ａ、２５ｂが夫々設けられており、あたかもオフィスでコンピュータに接続されたマウスをクリックしているようであり、オフィス等で使用しても血液の測定に対する違和感がない。
【００２１】
また、センサ３３が内蔵されたカートリッジ２４は着脱自在であるので、センサ３３の交換は容易に行うことができる。更に、カートリッジ２４毎の廃棄が可能であるので、血液が本体部に付着することはなく衛生的である。
【００２２】
更に、センサ３３と穿刺ボタン２５ａ、２５ｂを保護する蓋２２ｇが設けられているので、センサ３３の衛生状態を保つことができるとともに、穿刺ボタン２５ａ、２５ｂを誤って押下することもない。
【００２３】
更にまた、握り易い形状でもある。また、筺体２２はデザイン性に富んだ形状であり、例え、人目に触れる場所で使用したとしても、血液の測定をしている等と悟られ難い形状である。従って、恥ずかしさを感ずることはない。
【００２４】
図２は、その使用状態を示す平面図である。図２（ａ）は、血液検査装置２１を右手１２ａ（左手であっても良い）で握り、中指１２ｃをカートリッジ２４のセンサ３３上に載せ、人差し指１２ｄを用いてクリック感覚で穿刺ボタン２５ａを押下する。このようにして、中指１２ｃの皮膚１３から血液１４を採取する様子を示したものである。
【００２５】
また、図２（ｂ）も、血液検査装置２１を右手１２ａで握り、人差し指１２ｄをカートリッジ２４のセンサ３３上に載せ、中指１２ｃを用いてクリック感覚で穿刺ボタン２５ｂを押下する。このようにして、人差し指１２ｄの皮膚１３から血液１４を採取する様子を示したものである。
【００２６】
この場合、クリック感覚で血液１４を採取することができる。また、クリックする指を変えることで、血液１４を採取する指を変えることができる。
【００２７】
図３は、血液検査装置２１の正面２２ｂ側から見た断面図である。図３において、筺体２２の上面２２ａ側であって、筺体２２の一方の側面２２ｅ側にはカートリッジ２４が装着されるカートリッジ装着部３４が設けられている。そして、このカートリッジ装着部３４には、カートリッジ２４が装着されている。カートリッジ装着部３４に形成された位置決め凸部３４ｊが設けられており、カートリッジ２４に形成された位置決め凹部２４ｊと嵌合して位置決めされる。
【００２８】
筺体２２の裏面２２ｆは、レーザ発射装置（穿刺手段の一例として用いた）２６が裏面２２ｆに沿わせて載置されており、このレーザ発射装置２６の前方には、レーザ発射装置２６から発射されるレーザ光３５を９０度曲げる反射鏡３９が４５度の角度で装着されている。この反射鏡３９の上方はカートリッジ装着部３４となっており、このカートリッジ装着部３４には、レーザ光３５が通過する孔３４ａが設けられている。この孔３４ａは、透明部材３４ｂで塞がれている。従って、レーザ光３５は、この透明部材３４ｂを通過するが水分とか埃は通過しない。この配慮により、血液検査装置２１の内部が穿刺時等に血液１４や埃で汚れることはない。
【００２９】
レーザ光３５が孔３４ａを通過して進行する先には、センサ３３がカートリッジ２４内に装着されている。レーザ光３５は、センサ３３の貯留部４９（図１２参照）とカートリッジ２４に形成された孔２４ｋを通過して皮膚１３を穿刺する。この孔２４ｋは、カートリッジ２４の上面２４ａに設けられた半円形の谷２４ｍに設けられている。
【００３０】
本実施の形態におけるカートリッジ２４は、センサ３３に比べて横方向が長いので、センサ３３の他にもう一つセンサ３３ａが装着されている。そして、このセンサ３３ａの貯留部４９（センサ３３の貯留部４９と同じ）に対応するカートリッジ２４の谷２４ｓにも孔２４ｎが設けられている。従って、センサ３３で血液１４を測定した後、カートリッジ２４を（図３において）１８０度水平方向に回転させて、今度はセンサ３３ａを用いて更にもう一回血液１４の検査をすることができる。
【００３１】
なお、このセンサ３３ａの下に複数のセンサを積層収納して、順次この積層収納されたセンサをセンサ３３の装着場所へ搬送するとともに、使用済みのセンサを排出するようにしても良い。このことにより、一個のカートリッジ２４で複数回の血液検査をすることができる。また、センサ３３ａの代わりに消毒綿を装着することで、検査後に指先に残る余分な血液を吸い取るように構成してもかまわない。
【００３２】
谷２４ｍと谷２４ｓとの間の山２４ｔに細線を設けて、毛細管現象で流出した余分な血液１４を吸い取るようにしても良い。また、山２４ｔに消毒綿を装着して、流出した余分な血液１４を吸い取るようにしても良い。２３は、レーザ発射装置２６の上方に設けられた表示部２３である。
【００３３】
図４は、血液検査装置２１の部分破砕上面図であり、筺体２２の略中央にレーザ発射装置２６が装着されている。そして、このレーザ発射装置２６の一方の側面側には、電気回路部２７と負圧手段２８が設けられている。この負圧手段２８は、吸引ポンプ用モータ２８ａと、この吸引ポンプ用モータ２８ａに連結された吸引ポンプ２８ｂとから構成されている。この吸引ポンプ２８ｂからは、ホース２８ｃでカートリッジ２４内へ負圧が導かれる。
【００３４】
また、このレーザ発射装置２６の他方の側面側には、レーザ発射装置２６と電気回路部２７と吸引ポンプ用モータ２８ａ等に電源を供給する電池３０が配置されている。
【００３５】
２２ｈは、穿刺ボタン２５ａと２５ｂ上に夫々３個ずつ形成された凸部であり、指をすべり難くするとともに、血液検査装置２１の重要なデザインの一部を形成している。
【００３６】
３４ｐはカートリッジ装着部３４に形成された位置決め凸部であり、カートリッジ２４に形成された位置決め凹部２４ｐと嵌合して位置決めされる。従って、カートリッジ２４のカートリッジ装着部３４への位置決めは、図３に示した位置決め凹部２４ｊと、この位置決め凹部２４ｐとで位置決めされる。
【００３７】
２９は、カートリッジ装着部３４の上面であって、谷２４ｍ（図３参照）近傍に設けられた皮膚検知センサであり、穿刺ボタン２５ａ側に装着された発光ダイオード２９ａと、穿刺ボタン２５ｂ側に装着された受光トランジスタ２９ｂとで構成されており、発光ダイオード２９ａから発射された光は、カートリッジ２４の谷２４ｍ上を越えて受光トランジスタ２９ｂに到達することになる。従って、カートリッジ２４上に指を載せると、発光ダイオード２９から発射した光が遮断されるので、指が載置されたことを検知することができる。
【００３８】
なお、スペースが狭くて発光ダイオード２９ａや受光トランジスタ２９ｂが装着し難い場合には、ファイバーケーブルを用いて、このファイバーケーブルの端をカートリッジ装着部３４の上面であって、谷２４ｍ近傍に設置しても良い。このことにより、発光ダイオード２９ａや受光トランジスタ２９ｂの装着場所の自由度が増す。
【００３９】
図５は、血液検査装置２１の側面図である。上方中央のカートリッジ装着部３４にカートリッジ２４が装着されている。また、中央にはレーザ発射装置２６が設けられており、このレーザ発射装置２６の一方の側面には、吸引ポンプ２８ｂが配置され、他方の側面には電池３０が配置されている。
【００４０】
ここで、図４を用いてレーザ発射装置２６の詳細について説明する。レーザ発射装置２６は、発振チューブ２６ａと、この発振チューブ２６ａの前方に連結された円筒状の筒体２６ｂとから構成されている。発振チューブ２６ａ内には、Ｅｒ：ＹＡＧ（イットリウム・アルミニウム・ガーネット）レーザ結晶２６ｃとフラッシュ光源２６ｄが格納されている。発振チューブ２６ａの一方の端には透過率約１％の部分透過鏡２６ｅが装着されており、他方の端には全反射鏡２６ｆが装着されている。
【００４１】
部分透過鏡２６ｅの前方の筒体２６ｂ内には凸レンズ２６ｇが装着されており、レーザ光３５で患者１２の皮膚下に焦点を結ぶように設定されている。このレーザ光３５での穿刺電圧は、約３００Ｖとしている。従って、患者１２に与える苦痛は少ない。
【００４２】
以上のように構成されたレーザ発射装置２６について、以下にその動作を説明する。フラッシュ光源２６ｄから発射された光源は、Ｅｒ：ＹＡＧレーザ結晶２６ｃ内に入り、ここで、全反射鏡２６ｆとＹＡＧレーザ結晶２６ｃと部分透過鏡２６ｅの間を反射して共振するとともに増幅される。この増幅されたレーザ光の一部は誘導放出により部分透過鏡２６ｅを通過する。この部分透過鏡２６ｅを通過したレーザ光３５はレンズ２６ｇを透過して放射され、センサ３３を通過して皮膚１３を穿刺（照射）する。
【００４３】
次に、図６を用いて、レーザ光３５が皮膚１３へ照射されたときの穿刺の深さ１３ｄとレーザ光３５の焦点との関係について説明する。図６において、１３は患者１２の皮膚であり、３５はこの皮膚１３に照射されるレーザ光である。図６（ａ）は、皮膚１３の表面から深さ１３ｄの距離にレーザ光３５の焦点を結ぶように設定したものである。この場合、レーザ光３５により破壊される皮膚１３の容積１３ａは逆円錐形になる。従って、皮膚１３の開口は血液１４を採血するに十分な大きさとなり血液１４の流出は容易になるので痛みは少ない。また、皮膚１３につける傷の大きさも小さい。
【００４４】
これに対して図６（ｂ）は、丁度皮膚１３の表面にレーザ光３５の焦点を結ぶように設定したものである。この場合も皮膚１３から深さ１３ｄの距離まで穿刺すると、レーザ光３５により破壊される皮膚１３の容積１３ｂは円錐形になる。従って、皮膚１３の開口は極端に小さくなり血液１４の流出は少なく大きな痛みを感じる。また、皮膚１３につける傷の大きさは図６（ａ）の場合と同程度とになる。  
【００４５】
図６（ｃ）は、皮膚１３の上方にレーザ光３５の焦点を結ぶように設定したものである。この場合も皮膚１３から深さ１３ｄの距離まで穿刺すると、レーザ光３５により破壊される皮膚１３の容積１３ｃは輪切りにした円錐の下部形状のようになる。この場合も、皮膚１３の開口は小さくなり血液１４の流出は少なく大きな痛みを感じる。また、皮膚１３につける傷の大きさは図６（ａ）、（ｂ）の場合に比べて大きくなる。
【００４６】
従って、本実施の形態におけるレーザ発射装置２６の焦点は皮膚１３の表面から深さ１３ｄの距離に焦点を結ぶようにしている。このように設定することにより、血液１４の流出を容易にするとともに患者１２に与える痛みを最小にしている。なお、穿刺の深さ１３ｄは０．１ｍｍ〜１．５ｍｍが適しており、本実施の形態では０．５ｍｍとしている。
【００４７】
このように本実施の形態では、患者１２の皮膚１３へ非接触で穿刺できるレーザ発射装置２６を用いているので、従来のように針８の交換作業が不要となり、穿刺前の準備作業が大幅に簡素化される。また、患者１２の皮膚１３と、レーザ発射装置２６とは非接触であり衛生的である。さらに、従来のように運動する可動部品は無く、故障は少なくなる。更にまた、部品点数が少なくなるので、部品管理が容易である。また、非接触であり血液検査装置２１を容易に防水構造とすることができ、全体を丸洗いすることも可能となる。
【００４８】
図７は、カートリッジ２４の斜視図である。このカートリッジ２４は、下面２４ｈが開口した略直方体形状をしており、樹脂で形成されている。そして、このカートリッジ２４の内部両側面には、コネクタせり出し機構３６を構成する歯３６ａが設けられている。また、カートリッジ２４の上面２４ａは、２つの半円型の波で形成されており、この波の谷２４ｍ、２４ｓには夫々孔２４ｋ、２４ｎ（図３参照）が形成されている。この半円型の波は、指の皮膚１３に適合し易い形状となっている。
【００４９】
カートリッジ２４の正面２４ｂと背面２４ｃには、夫々位置決め凹部２４ｐが形成されており、カートリッジ装着部３４に形成された位置決め凸部３４ｐに嵌合する。また、カートリッジ２４の一方の側面２４ｆと他方の側面２４ｄには、夫々位置決め凹部２４ｊが形成されており、側面２４ｄ側の位置決め凹部２４ｊはカートリッジ装着部３４に形成された位置決め凸部３４ｊに嵌合する。また、側面２４ｆ側の位置決め凹部２４ｊは、カートリッジ２４の着脱時の滑り止めとして使用される。なお、カートリッジ２４を半回転させて、センサ３３ａを使用するときは、この位置決めと滑り止めの関係は逆になる。
【００５０】
図８は、コネクタせり出し機構３６とその周辺の要部断面図である。なお、この図はカートリッジ２４の背面２４ｃ側からみた断面図である。３６ｂは、断面が逆「Ｕ」字型をするとともに樹脂で形成されたせり出し部材であり、このせり出し部材３６ｂの両側面には、歯３６ｃが形成されている。この歯３６ｃはカートリッジ装着部３４（図３参照）に回転自在に固定装着された大歯車３６ｄに歯合する。３６ｅは、大歯車３６ｄと同軸で固定された小歯車であり、この小歯車３６ｅは、カートリッジ装着部３４に回転自在に固定装着された小歯車３６ｆに歯合する。また、この小歯車３６ｆはカートリッジ２４に形成された歯３６ａに歯合する。
【００５１】
なお、３７はせり出し部材３６ｂの上面に植設されたコネクタであり、センサ３３に形成された接触場所５４ｂ〜５７ｂ、５６ｃ（図１１参照）に接触する位置に設けられている。２４ｅはカートリッジ２４内の底面２４ｇ側近傍に形成されたストッパであり、センサ３３を底面２４ｇ側に固定するものである。２４ｋは、谷２４ｍの中央に形成された貫通孔であり、負圧室３８を形成している。
【００５２】
以上のように構成されたせり出し機構３６について、以下にその動作を説明する。カートリッジ２４を矢印３６ｇ方向に挿入する。すると歯３６ａに歯合した小歯車３６ｆが矢印３６ｈ方向に回転する。小歯車３６ｆが矢印３６ｈ方向に回転すると、この小歯車３６ｆに歯合した小歯車３６ｅが矢印３６ｊ方向に回転する。小歯車３６ｅが矢印３６ｊ方向に回転すると、この小歯車３６ｅに固定された大歯車３６ｄも矢印３６ｋの方向に回転する。大歯車３６ｄが矢印３６ｋの方向に回転すると、この大歯車３６ｄに歯合した歯３６ｃに伝達され、歯３６ｃが移動する。即ち、歯３６ｃが装着されたせり出し部材３６ｂが矢印３６ｍ方向に移動する。このようにして、せり出し部材３６ｂの上面に植設されたコネクタ３７がセンサ３３の接触場所５４ｂ〜５７ｂ、５６ｃに接触する。
【００５３】
このように、カートリッジ２４の動き（矢印３６ｇ）とせり出し部材３６ｂ（矢印３６ｍ）とは互いに逆方向に動作する。このことにより、カートリッジ２４をカートリッジ装着部３４に挿入すると、奥まっていたコネクタ３７がせり出してセンサ３３の接触場所５４ｂ〜５７ｂ、５６ｃに当接する。この動作により、カートリッジ２４を外した状態におけるコネクタ３７は、カートリッジ装着部３４の奥まった位置にあり、外部から損傷を受けないという効果を奏する。
【００５４】
なお、このときカートリッジ２４の挿入距離とせり出し部材３６ｂのせり出し距離は、小歯車３６ｆの直径と、大歯車３６ｄの直径の比に比例する。但し、各歯車のピッチは同じとしている。本実施の形態では、小歯車３６ｆと大歯車３６ｄの直径の比を１対２にしている。従って、せり出し部材３６ｂの移動距離は、カートリッジ２４の移動距離の２倍移動することになる。なお、カートリッジ２４を排出するときは、この逆の動作になる。
【００５５】
次に、図９〜１１を用いて、センサ３３の詳細を説明する。図９は、本実施の形態におけるセンサ３３の断面図である。このセンサ３３を形成する基体４５は、基板４６と、この基板４６の上面に貼り合わされたスペーサ４７と、このスペーサ４７の上面に貼り合わされたカバー４８とで構成されている。
【００５６】
４９は、血液の貯留部であり、その容積は０．９０４μＬである。またこの貯留部４９は、基板４６に設けられた孔４６ａとスペーサ４７に設けられた孔４７ａに連通して形成されており、図９の表示では下方に向かって開口している。５０はこの貯留部４９に一方の端が連結された供給路であり、貯留部４９に溜められた血液１４を毛細管現象で検出部５１に導く路である。また、この供給路５０の他端は空気孔５２に連結している。５９は、基体４５の上面と下面とを貫通する孔であり、この孔５９と空気孔５２を介して負圧室３８に負圧を加える。ここで貯留部４９の容積は、供給路５０の容積の５倍以上とすれば、正確な測定をするのに十分な血液１４を得ることができる。しかし、多くの血液１４を採取すると患者１２に負担をかけるので、７倍以下程度にすべきである。
【００５７】
５３は、検出部５１上に載置された試薬であって、この試薬５３は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して溶解させて試薬溶液を調整し、これを基板４６に形成された検出電極５４，５６（図１１参照）上に滴下し、乾燥させることで形成したものである。
【００５８】
図１０は、センサ３３の分解平面図である。図１０（ｃ）は、センサ３３を構成する長方形をした基板４６の平面図であり、その寸法は、カートリッジ２４の底面２４ｇへ丁度２個挿入される大きさである。この基板４６の材質はポリエチレンテレフタレート（ＰＥＴ）であり、その厚さは０．１８８ｍｍ（０．０７５〜０．２５０ｍｍの範囲）の物を用いている。
【００５９】
そして、この基板４６の上面には金、白金、パラジウム等を材料として、スパッタリング法或いは蒸着法により導電層を形成し、これをレーザ加工により検出電極５４〜５７と、この検出電極５４〜５７から夫々導出された接続電極５４ａ〜５７ａを一体的に形成している。また、この接続電極５４ａ〜５７ａにはコネクタ３７が接触する接触場所５４ｂ〜５７ｂ、５６ｃが設けられている。
【００６０】
４６ａは、基板４６の略中央に設けられた孔であり、その直径は２．０００ｍｍとしている。この孔４６ａの壁面は、供給路５０より弱い親水性処理をするか、或いはカバー４８の上面４８ｅ（図９参照）より弱い撥水性処理をすることが好ましい。
【００６１】
図１０（ｂ）はスペーサ４７の平面図である。このスペーサ４７の形状は長方形状をしており、基板４６に形成された接触場所５４ｂ、５５ｂ、５６ｂ、５７ｂに対応した四隅の場所に夫々４分の１円形の切欠き４７ｇと、基板４６の接触場所５６ｃと対応する両辺に夫々半円形の切欠き４７ｈを形成している。
【００６２】
４７ａは、スペーサ４７の略中央に設けられた直径２．０００ｍｍの孔であり、基板４６に設けられた孔４６ａに対応した位置に設けられている。この孔４７ａの壁面は、供給路５０より弱い親水性処理をするか、或いはカバー４８の上面４８ｅより弱い撥水性処理をすることが好ましい。
【００６３】
また、この孔４７ａから検出部５１方向に向かってスリット４７ｅが形成されている。このスリット４７ｅは血液１４の供給路５０を形成するものである。このスリット４７ｅの壁面と、それに対応する基板４６の上面も親水性処理を行なう。また、このスリット４７ｅの幅４７ｆは０．６００ｍｍとし、その長さ４７ｇは２．４００ｍｍとして、０．１４４μＬの容積を有する供給路５０を形成している。なお、スペーサ４７の材質はポリエチレンテレフタレートであり、その厚さは０．１００ｍｍ（０．０５０〜０．１２５ｍｍの範囲）の物を用いている。
【００６４】
図１０（ａ）はカバー４８の平面図である。その形状は、スペーサ４７と同様、長方形状をしており、基板４６の４角の接触場所５４ｂ、５５ｂ、５６ｂ、５７ｂに対応した四隅に夫々４分の１円形の切欠き４８ｇと、基板４６の接触場所５６ｃと対応する両辺に夫々半円形の切欠き４８ｈを形成している。５２は空気孔であり、供給路５０の先端部に対応して設けられている。空気孔５２の直径は５０μｍである。
【００６５】
このカバー４８はレーザ光３５が通過するように透明のものを用いており、その厚さは０．０７５ｍｍ（０．０５０〜０．１２５ｍｍの範囲）の物を用いている。このカバー４８は以下の処理を行なっている。即ち、基体４５の上面を形成するカバー４８の上面４８ｅ（図９参照）は撥水性処理を行なっている。また、供給路５０の天面を形成するカバー４８の下面側は親水性処理を行なっている。また、貯留部４９の天面４９ａは、供給路５０より弱い親水性処理をするか、或いはカバー４８の上面４８ｅより弱い撥水性処理をすることが好ましい。本実施の形態では、貯留部４９の天面４９ａは供給路５０より弱い親水性処理にするとともに、カバー４８の上面４８ｅより弱い撥水性処理を行なっている。
【００６６】
なお、貯留部４９と対応する位置に、貯留部４９より小さく、空気孔５２より大きい孔５９ａを設けても良い。この孔５９ａを設けることにより、カバー４８によるレーザ光３５の減衰を無くすることができるとともに、この孔５９ａに負圧路としての機能を持たせることができる。また、穿刺手段に穿刺針を用いた血液検査装置に使用する場合には、穿刺針の受ける抵抗を無くすことができ、穿刺深さが安定する。
【００６７】
図１１は、センサ３３の透視平面図である。図１１において、５４〜５７は検出電極であり、貯留部４９から空気孔５２に向かって順に、検出電極５７（Ｈｃｔ測定極）、検出電極５６（対極）、検出電極５４（作用極）、検出電極５６（対極）、検出電極５５（検知極）となっている。また、５１は検出部である。
【００６８】
５４ａ〜５７ａは検出電極５４〜５７に夫々接続された接続電極であり、基板４６の外周方向に導出されている。また、夫々の接続電極５４ａ〜５７ａには夫々接触場所５４ｂ〜５７ｂが設けられている。ここで、接続電極５６ａにのみ接触場所５６ｂと接触場所５６ｃの２つの接触場所が形成されている。そして、接触場所５６ｂと接触場所５６ｃのみが導通しており、その他の接触場所同士は全て絶縁されている。この接触場所５６ｃを基準接触場所即ち、基準電極５６ｄとする。
【００６９】
このように構成されているので、隣り合う接触場所の絶縁抵抗を電気回路部２７（図１３参照）で測定し、絶縁抵抗が零となった接触場所が基準電極５６ｄであると特定することができる。これ以降、以下時計周りに接続電極５６ａ、接続電極５７ａ、接続電極５４ａ、接続電極５５ａと特定することができる。従って、無造作にカートリッジ２４を装着しても、カートリッジ２４の挿入方向に拘わらず、センサ３３の基準電極５６ｄを検知することができる。従って、以降この基準電極５６ｄに基づいて自動的に他の接続電極５４ａ〜５７ａを決定することができる。この配慮により、カートリッジ２４の挿入操作が非常に容易となる。なお、本実施の形態では基準電極５６ｄを接続電極５６ａ上に設けたがこれは他の接続電極５４ａ、５５ａ，５７ａの何れに設けても良い。
【００７０】
以上のように構成されたセンサ３３を用いた採血について、以下にその動作を説明する。図１２に示すように、先ず、カートリッジ２４を患者１２の皮膚１３に当接させる。そして、穿刺ボタン２５ａ（又は２５ｂ）を押下してレーザ光３５を発射させる。そうすると、レーザ光３５はカバー４８を透過し皮膚１３に傷をつける。そうすると、この皮膚１３から血液１４が流出する。この流出した血液１４は貯留部４９を満たす。貯留部４９を満たした血液１４は供給路５０に達し、この供給路５０の毛細管現象で検出部５１へ向かって一気に一定速度で流入する。そして、この血液１４は検出部５１に達し、試薬５３と化学反応して血糖値等の血液１４の性質が測定される。
【００７１】
なお、２４ｅは、カートリッジ２４に形成されたストッパであり、このストッパ２４ｅで２枚のセンサ３３，３３ａをカートリッジ２４に固定する。また、採血を容易にするため、空気孔５２と孔５９を介して負圧室３８に負圧を加える。
【００７２】
図１３は、電気回路部２７のブロック図である。図１３において、５４ｂ〜５７ｂ、５６ｃはセンサ３３に形成された接触場所であり、これらの接触場所５４ｂ〜５７ｂ、５６ｃはコネクタ３７ａ〜３７ｆ（コネクタ３７は、挿入方向を意識しないでカートリッジ２４を挿入可能にするため、接触場所５６ｃと対向する場所にもコネクタが必要であり６本となっている）を介して切換回路７１に接続される。この切換回路７１の出力は電流／電圧変換器７２の入力に接続されている。そして、その出力はアナログ／デジタル変換器（以後、Ａ／Ｄ変換器という）７３を介して演算部７４の入力に接続されている。この演算部７４の出力は、発光ダイオード或いは液晶で形成された表示部２３に接続されている。また、切換回路７１には基準電圧源７８が接続されている。なお、この基準電圧源７８はグランド電位であっても良い。
【００７３】
７６は制御部であり、この制御部７６は、切換回路７１の制御端子と、演算部７４と、穿刺ボタン２５ａ、２５ｂと、送信部７７と、タイマ７９と、レーザ発射装置２６と、負圧手段２８と、皮膚検知センサ２９（発光ダイオード２９ａと受光トランジスタ２９ｂ）に接続されている。なお、図示していないが警報手段にも接続されている。また、演算部７４の出力は送信部７７の入力にも接続されている。また、負圧手段２８の出力はホース２８ｃを介して負圧室３８に導かれている。
【００７４】
次に、電気回路部２７の動作を説明する。先ず、血液１４の測定に先立って、センサ３３の接触場所５４ｂ〜５７ｂ、５６ｃがコネクタ３７ａ〜３７ｆの何れに接続されているかを検出する必要がある。即ち、制御部７６の指令により、コネクタ３７ａ〜３７ｆの内、隣り合う端子間の電気抵抗が零である接触場所５６ｃを検出する。そして、この電気抵抗が零の接触場所５６ｃが検出されたら、その接触場所５６ｃに接続されているものが基準電極５６ｄであると決定する。そして、この接触場所５６ｃに接続されたコネクタ３７を基準として、順に接続電極５６ａ、５７ａ，５４ａ、５５ａが決定される。このようにして、接続電極５４ａ〜５７ａに接続された夫々のコネクタ３７を決定し、その後、血液１４の測定に移行する。
【００７５】
また、本実施の形態では、カートリッジ２４に２枚のセンサ３３，３３ａが装着されているので、使用済みのセンサか否かの検出をしなければならない。使用済みセンサの場合には、警報手段で警報するとともに、表示部２３にその旨を表示して、カートリッジ２４の装着方向を変更するか、或いはカートリッジ２４そのものを新しいものに交換させる必要がある。
【００７６】
使用済みのセンサの検出は、制御部７６の指令により、コネクタ３７ａ〜３７ｆの内、隣り合う端子間の電気抵抗が零である接触場所５６ｃの他に、隣り合う端子間の電気抵抗が無限大ではなく、予め定められた値以下のものがあることで判別する。
【００７７】
測定動作では、先ず切換回路７１を切換えて、血液成分量を測定するための作用極となる検出電極５４を（上記決定されたコネクタ３７を介して）電流／電圧変換器７２に接続する。また、血液１４の流入を検知するための検知極となる検出電極５５を（上記決定されたコネクタ３７を介して）基準電圧源７８に接続する。そして、検出電極５４及び検出電極５５間に一定の電圧を印加する。この状態において、血液１４が流入すると、検出電極５４，５５間に電流が流れる。この電流は、電流／電圧変換器７２によって電圧に変換され、その電圧値はＡ／Ｄ変換器７３によってデジタル値に変換される。そして、演算部７４に向かって出力される。演算部７４はそのデジタル値に基づいて血液１４が十分に流入したことを検出する。なお、ここで予め定められた時間が経過しても、検出部５１で血液１４の検出がされない場合や、血液１４の量が適正でない場合は警報手段を働かせて警報するとともに処置の内容を表示部２３に表示する。
【００７８】
次に、血液成分であるグルコースの測定が行なわれる。グルコース成分量の測定は、先ず、制御部７６の指令により、切換回路７１を切換えて、グルコース成分量の測定のための作用極となる検出電極５４を（上記決定されたコネクタ３７を介して）電流／電圧変換器７２に接続する。また、グルコース成分量の測定のための対極となる検出電極５６を（上記決定されたコネクタ３７を介して）基準電圧源７８に接続する。
【００７９】
なお、例えば血液中のグルコースとその酸化還元酵素とを一定時間反応させる間は、電流／電圧変換器７２及び基準電圧源７８をオフにしておく。そして、一定時間（１〜１０秒）の経過後に、制御部７６の指令により、検出電極５４と５６間に一定の電圧（０．２〜０．５Ｖ）を印加する。そうすると、検出電極５４，５６間に電流が流れる。この電流は電流／電圧変換器７２によって電圧に変換され、その電圧値はＡ／Ｄ変換器７３によってデジタル値に変換する。そして、演算部７４に向かって出力される。演算部７４はそのデジタル値を基にグルコース成分量に換算する。
【００８０】
次に、グルコース成分量の測定後、Ｈｃｔ値の測定が行なわれる。Ｈｃｔ値の測定は次のように行なわれる。先ず、制御部７６からの指令により切換回路７１を切換える。そして、Ｈｃｔ値の測定のための作用極となる検出電極５７を（上記決定されたコネクタ３７を介して）電流／電圧変換器７２に接続する。また、Ｈｃｔ値の測定のための対極となる検出電極５４を基準電圧源７８に接続する。
【００８１】
次に、制御部７６の指令により、電流／電圧変換器７２及び基準電圧源７８から検出電極５７と検出電極５４間に一定の電圧（２Ｖ〜３Ｖ）を印加する。検出電極５７と５４間に流れる電流は、電流／電圧変換器７２によって電圧に変換され、その電圧値はＡ／Ｄ変換器７３によってデジタル値に変換される。そして演算部７４に向かって出力される。演算部７４はそのデジタル値に基づいてＨｃｔ値に換算する。
【００８２】
この測定で得られたＨｃｔ値とグルコース成分量を用い、予め求めておいた検量線または検量線テーブルを参照して、グルコース成分量をＨｃｔ値で補正し、その補正された結果を表示部２３に表示する。また、この補正された結果を送信部７７からインスリン（治療薬の一例として用いた）を注射する注射装置に向けて送信する。この送信は電波を用いることもできるが、医療器具への妨害のない光通信で送信することが好ましい。
【００８３】
このように補正された測定データを送信部７７から送信することにより、インスリンの投与量が注射装置に自動的に設定されるようにすれば、患者１２が投与するインスリンの量を注射装置に設定する必要は無く、設定の煩わしさは無い。また、人為手段を介さずにインスリンの量を注射装置に設定することができるので、設定のミスを防止することができる。
【００８４】
また、送信部７７とパーソナルコンピュータ（以下、パソコンという）とをＵＳＢケーブル或いは無線で接続して、測定データをパソコンへ送信してパソコンで管理することもできる。なお、ＵＳＢケーブルで接続すれば、パソコンから電源の供給を受けることもできる。
【００８５】
以上、グルコースの測定を例に説明したが、グルコースの測定の他に乳酸値やコレステロールの血液成分の測定にも有用である。
【００８６】
以上のように構成された血液検査装置２１の動作について図１４を参照しながら説明する。図１４において、先ず、カートリッジ２４の血液検査装置２１への装着ステップ８１を説明する。この装着ステップ８１では、カートリッジ２４を血液センサ装着部３４へ装着する。この装着により、カートリッジ２４に形成された位置決め凹部２４ｊと２４ｐがカートリッジ装着部３４に形成された位置決め凸部３４ｊと３４ｐに嵌入して係止される。
【００８７】
次に、ステップ８２で、センサ３３の接続電極５４ａ〜５７ａの特定と、センサ３３が使用済み（旧センサ）か、未使用のセンサ３３（新センサ）かの検出を行なう。接続電極５４ａ〜５７ａの特定では、検出電極５４〜５７、接続電極５４ａ〜５７ａ、接触場所５４ｂ〜５７ｂ、５６ｃ、コネクタ３７ａ~３７ｆを介して電気回路部２７で隣り合うコネクタ３７ａ〜３７ｆ間の抵抗値から基準電極５６ｄを特定する。そして、この基準電極５６ｄから時計回りに接続電極５６ａ、５７ａ、５４ａ，５５ａを決定する。従って、カートリッジ２４が無造作に挿入されてもこのステップ８２で接続電極５４ａ〜５７ａを特定することができる。即ち、検出電極５４〜５７が決定される。
【００８８】
使用済みのセンサか未使用のセンサかの特定は、ステップ８３に移り、図１３の説明で述べたように、隣り合う端子間の電気抵抗が予め定められた値以下のものがあるか否かで特定する。使用済みセンサの場合は、ステップ９０でカートリッジ２４の装着方向を逆にするか或いはカートリッジ２４の交換をして修了する。或いは、始めからやり直す。
【００８９】
未使用のカートリッジの場合は、ステップ８４に移行する。ステップ８４は、患者１２の皮膚１３へカートリッジ２４のセンサ３３に押し当て密着する。そうすると皮膚検知センサ２９がオンとなる。皮膚検知センサ２９がオンとなると、負圧手段２８の吸引ポンプ用モータ２８ａが動作して吸引ポンプ２８ｂで負圧を発生する。この吸引ポンプ用モータ２８ａに加わる負荷電流を制御部７６で検出して、穿刺可能な負圧か否かを判断し表示部２３に表示する。なお、負荷電流を検出する代わりに、この負圧が発生してから予め定められた時間をタイマ７９で計測して、表示部２３に穿刺が可能であるか否かを表示しても良い。
【００９０】
ここで、負圧を加える理由を説明する。穿刺時に皮膚１３に負圧を加えることにより、例え弛緩した皮膚１３であっても緊張状態になるので、例え小さな穿刺穴であっても血液１４を効率良く採取することができる。従って、穿刺穴は小さくても良いので、患者に与える苦痛は少ないものになる。
【００９１】
次に、ステップ８５に移り、穿刺ボタン２５ａ（又は２５ｂ）を押下する。この穿刺ボタン２５ａ（又は２５ｂ）の信号は電気回路部２７で認識される。電気回路部２７ではレーザ発射装置２６を駆動する。そうするとレーザ光３５は、皮膚検知センサ２９の出力と穿刺ボタン２５ａ（又は２５ｂ）の論理積条件で皮膚１３に向けて発射される。なお、穿刺可能な負圧になったら自動的にレーザ発射装置２６を駆動して穿刺しても良い。
【００９２】
次に、採血動作のステップ８６に移る。このステップ８６においてレーザ光３５での穿刺により、患者１２の皮膚１３から血液１４が流出する。この血液１４をセンサ３３内の貯留部４９に貯留する。貯留部４９に貯留された血液１４は毛細管現象により、供給路５０を介して検出部５１に導かれる。検出部５１に導かれた血液１４は検知極としての検出電極５５（図１１参照）に達すると、測定に必要な量の血液１４が得られたと判断する。そして、この時点で負圧手段２８の動作を停止する。なお、負圧手段２８の動作は、皮膚検知センサ２９のオフにより停止しても良い。
【００９３】
また、予め定められた時間が経過しても、検出部５１で血液１４の検出がされない場合や、血液１４の量が適正でない場合（検出電極５４と検出電極５５間の抵抗で検出）は、警報手段を働かせて警報するとともに処置の内容を表示部２３に表示する。
【００９４】
次に、測定ステップ８７に移りグルコースの測定を行う。即ち、血液中のグルコースとグルコース酸化還元酵素とを一定時間反応させた後、検出電極５４を作用極、検出電極５６を対極として、前記両検出電極５４，５６間に電圧を印加する。そして、グルコースの測定を行う。
【００９５】
次はステップ８８に移りＨｃｔ値の測定をする。検出電極５７を作用極、検出電極５４を対極として、両検出電極５４，５７間に電圧を印加する。このことにより、Ｈｃｔ値に依存する電流が検出できる。従って、この電流に基づきＨｃｔ値を測定する。
【００９６】
そして最後に、ステップ８９で血液成分の補正を行なう。即ち、ステップ８８で検出したＨｃｔ値を用いて、ステップ８７で得られたグルコース量を補正する。以上のステップにより、血糖値測定が終了したら使用済みカートリッジ２４は廃棄する。
【００９７】
（実施の形態２）
実施の形態２では、カートリッジ２４をスクロールユニットと交換することにより、いわゆるマウスとしても使用できる血液検査装置１００について述べる。なお、実施の形態１と同じものついては同符号を用いて説明を簡略化している。また、実施の形態２で説明を簡略化した事項については実施の形態１と同じとする。
【００９８】
図１５は、パソコン１０１にＵＳＢケーブル１０２で血液検査装置１００を接続した斜視図である。この血液検査装置１００は、直方体形状であっても良いし、円形をおびた形状であっても良い。この血液検査装置１００は、カートリッジ２４をスクロールユニット１０５と交換したものであり、この血液検査装置１００をマウスとしてパソコン業務に使うことができる。また、血糖値を測定したい場合には、スクロールユニット１０５をカートリッジ２４と交換すれば良い。いづれにしても、血糖値等のデータをパソコンで処理したり、医療機関へ転送したり、グラフ化したりしてデータ管理をすることができる。また、ＵＳＢケーブルを介してパソコン１０１から電源の供給を受けることもできる。
【００９９】
図１６は、血液検査装置１００の正面図である。この血液検査装置１００の筺体１０３の裏面１０３ｅに位置検出ボール１０４が回転自在に装着されている。この血液検査装置１００をマウスとして使用する場合であり、カートリッジ２４の装着するカートリッジ装着部３４にはスクロールユニット１０５が装着される。このスクロールユニット１０５には、スクロールリング１０５ａが装着されている。
【０１００】
図１７は、血液検査装置１００の電気回路部１１０（実施の形態１の電気回路部２７に該当する）のブロック図である。１０５は、スクロールユニットであり、このスクロールユニット１０５を装着すると、このスクロールユニット１０５に設けられたスクロールユニット識別コード発生器１０５ｃから識別コードがコネクタ３７を介して切換回路１０９（実施の形態１の切換回路７１に該当する）に入力される。そして、制御部１１１（実施の形態１の制御部７６に該当する）でスクロールユニット１０５が装着されたことを認識する。
【０１０１】
装着されたスクロールユニット１０５には、スクロールリング１０５ａが回転自在に装着されている。このスクロールリング１０５ａの回転情報は回転情報検出部１０５ｂに入力される。回転情報検出部１０５ｂの出力はコネクタ３７を介して切換回路１０９に入力される。この切換回路１０９から制御部１１１を介して通信部１１２に入力されている。この通信部１１２からは、ＵＳＢケーブル１０２を介してパソコン１０１に送られる。また、穿刺ボタン２５ａから出力される信号は左クリック信号として、穿刺ボタン２５ｂから出力される信号は右クリック信号として、制御部１１１から出力されパソコン１０１に伝送される。
【０１０２】
１０４は、回転自在に設けられた位置検出ボールであり、この位置検出ボール１０４の回転の情報は位置抽出部１１３で抽出される。そして、この位置抽出部１１３で抽出された位置情報は通信部１１２に送られ、この通信部１１２からＵＳＢケーブル１０２を介してパソコン１０１に送られる。このようにして、カートリッジ装着部３４にスクロールユニット１０５を装着することにより、この血液検査装置１００をマウスとして用いて、パソコン業務を行うことができる。なお、ここでは位置検出ボール１０４を用いたが、これは光学的な検出であっても良い。
【産業上の利用可能性】
【０１０３】
本発明にかかる血液検査装置は、オフィス等においても違和感なく使用することができるので、医療分野等における血液検査装置として有用である。
【図面の簡単な説明】
【０１０４】
【図１】本発明の実施の形態１における血液検査装置とカートリッジの外観斜視図
【図２】同、使用状態を示す平面図、（ａ）は同、第１の使用状態を示す平面図、（ｂ）は同、第２の使用状態を示す平面図
【図３】同、血液検査装置の正面から見た断面図
【図４】同、上面から見た一部破砕断面図
【図５】同、側面図
【図６】同、レーザ光の焦点と穿刺容積の断面図、（ａ）同、焦点が皮膚内にある場合の断面図、（ｂ）同、焦点が皮膚面にある場合の断面図、（ｃ）同、焦点が皮膚外にある場合の断面図
【図７】同、カートリッジの斜視図
【図８】同、カートリッジのせり出し機構とその周辺の要部断面図
【図９】同、血液検査装置に用いるセンサの断面図
【図１０】同、センサの分解平面図、（ａ）は同、カバーの平面図、（ｂ）は同、スペーサの平面図、（ｃ）は同、基板の平面図
【図１１】同、透視平面図
【図１２】同、センサ近傍の動作説明図
【図１３】同、電気回路部のブロック図
【図１４】同、血液検査装置の動作説明図
【図１５】同、実施の形態２における血液検査装置の使用状態の斜視図
【図１６】同、血液検査装置の前面図
【図１７】同、電気回路部のブロック図
【図１８】従来の血液検査装置の断面図
【図１９】同、使用状態の斜視図
【符号の説明】
【０１０５】
１３  皮膚
２１  血液検査装置
２２  筺体
２２ａ  上面
２２ｅ  側面
２３  表示部
２４  カートリッジ
２５ａ  穿刺ボタン
２５ｂ  穿刺ボタン
２６  レーザ発射装置
２７  電気回路部
３３  センサ
３４  カートリッジ装着部
３５  レーザ光
【図１】
0004844251.tif 000002
【図２】
0004844251.tif 000003
【図３】
0004844251.tif 000004
【図４】
0004844251.tif 000005
【図５】
0004844251.tif 000006
【図６】
0004844251.tif 000007
【図７】
0004844251.tif 000008
【図８】
0004844251.tif 000009
【図９】
0004844251.tif 000010
【図１０】
0004844251.tif 000011
【図１１】
0004844251.tif 000012
【図１２】
0004844251.tif 000013
【図１３】
0004844251.tif 000014
【図１４】
0004844251.tif 000015
【図１５】
0004844251.tif 000016
【図１６】
0004844251.tif 000017
【図１７】
0004844251.tif 000018
【図１８】
0004844251.tif 000019
【図１９】
0004844251.tif 000020